(57)【要約】【課題】保炎性等の燃焼性能を維持し、火炎のバック等も好適に防止する。【解決手段】バーナヘッド３の炎孔形成部８において、放射状に形成される炎孔６を、混合気の上流端に開口する一対の内側炎孔１０，１０と、その内側炎孔１０，１０が合流して混合気の下流端に開口し、単一の内側炎孔１０よりも幅の大きい外側炎孔１１とから形成した。【選択図】図２
2011202824.tif 000002
【特許請求の範囲】
【請求項１】
燃料ガスと一次空気とが供給されるバーナ本体と、そのバーナ本体の上部に載置されて前記燃料ガスと一次空気との混合気を放射状に噴出する複数の炎孔を形成するバーナヘッドとを備えてなるガスバーナであって、
前記炎孔を、前記混合気の上流端に開口する一対の内側炎孔と、その内側炎孔が合流して前記混合気の下流端に開口し、単一の前記内側炎孔よりも幅の大きい外側炎孔とから形成したことを特徴とするガスバーナ。
【請求項２】
前記外側炎孔を、前記下流端へ行くに従って幅が小さくなるテーパ状としたことを特徴とする請求項１に記載のガスバーナ。
【請求項３】
前記外側炎孔を、前記内側炎孔側の端部の幅よりも前記下流端側の端部の幅が小さくなる凸形状としたことを特徴とする請求項１に記載のガスバーナ。
【請求項４】
前記内側炎孔の幅を１．５ｍｍ以下、前記外側炎孔の幅を１．５ｍｍ以上としたことを特徴とする請求項１乃至３の何れかに記載のガスバーナ。
【請求項５】
前記外側炎孔のピッチを３ｍｍ以上としたことを特徴とする請求項１乃至４の何れかに記載のガスバーナ。
【請求項６】
請求項１乃至５の何れかに記載のガスバーナを用いてなる燃焼器具。
【発明の詳細な説明】
【技術分野】
【０００１】
本発明は、ガスバーナと、そのガスバーナを用いたテーブルコンロ等の燃焼器具とに関する。
【背景技術】
【０００２】
ガスバーナは、燃料ガスと共に一次空気が供給されて混合気が生成される混合管と、その混合管の環状混合室上に載置される円盤状のバーナヘッドとを備える。バーナヘッドの下面外周際には、リング状の炎孔形成部が突設されると共に、その炎孔形成部に放射状の炎孔が所定間隔で溝状に形成されており、バーナヘッドを環状混合室上に載置した状態で、炎孔の下面が閉塞されて炎孔と環状混合室とが連通する。
この炎孔の形態は、保炎性やバック性能等のガスバーナの燃焼性能に大きな影響を与えるため、様々な工夫が施される。例えば特許文献１には、バーナヘッドの炎孔形成部に、炎孔溝と深さが略同一で幅が大きく長さが短い保炎炎孔溝を設けて、火力を絞った場合のバーナの保炎性を高めて逆火（バック）現象も防止しようとする発明が開示されている。
【先行技術文献】
【特許文献】
【０００３】
【特許文献１】特開２０００−３４６３１２号公報
【発明の概要】
【発明が解決しようとする課題】
【０００４】
しかし、バーナヘッドの大きさ（径）は略一定であるため、特許文献１の発明のように本来の炎孔溝の間に保炎炎孔溝をいくつも設けると、炎孔の数が減少して熱効率が低下してしまう。かといって炎孔幅を小さくして炎孔溝のピッチを狭くすると、二次空気が不足して立ち消えを起こすおそれがある。
【０００５】
そこで、本発明は、保炎性等の燃焼性能を維持しつつ、火炎のバックも好適に防止できるガスバーナを提供することを目的としたものである。
【課題を解決するための手段】
【０００６】
上記目的を達成するために、請求項１に記載の発明は、燃料ガスと一次空気とが供給されるバーナ本体と、そのバーナ本体の上部に載置されて燃料ガスと一次空気との混合気を放射状に噴出する複数の炎孔を形成するバーナヘッドとを備えてなるガスバーナであって、炎孔を、混合気の上流端に開口する一対の内側炎孔と、その内側炎孔が合流して混合気の下流端に開口し、単一の内側炎孔よりも幅の大きい外側炎孔とから形成したことを特徴とするものである。
請求項２に記載の発明は、請求項１の構成において、外側炎孔を、下流端へ行くに従って幅が小さくなるテーパ状としたことを特徴とするものである。
請求項３に記載の発明は、請求項１の構成において、外側炎孔を、内側炎孔側の端部の幅よりも下流端側の端部の幅が小さくなる凸形状としたことを特徴とするものである。
請求項４に記載の発明は、請求項１乃至３の何れかの構成において、内側炎孔の幅を１．５ｍｍ以下、外側炎孔の幅を１．５ｍｍ以上としたことを特徴とするものである。
請求項５に記載の発明は、請求項１乃至４の何れかの構成において、外側炎孔のピッチを３ｍｍ以上としたことを特徴とするものである。
上記目的を達成するために、請求項６に記載の発明は、燃焼器具であって、請求項１乃至５の何れかに記載のガスバーナを用いてなることを特徴とするものである。
【発明の効果】
【０００７】
請求項１及び６に記載の発明によれば、外側炎孔側で二次空気の供給に必要なピッチを確保する一方、内側炎孔で適正な炎孔負荷が維持できる。よって、保炎性等の燃焼性能が維持できると共に、火炎のバック等も好適に防止可能となる。
請求項２及び３に記載の発明によれば、請求項１の効果に加えて、一対の内側炎孔から外側炎孔への混合気の流れがスムーズとなり、必要な燃焼速度が維持できる。
請求項４に記載の発明によれば、請求項１乃至３の何れかの効果に加えて、燃焼性能の維持と火炎のバック等の防止とに好適な炎孔幅が得られる。
請求項５に記載の発明によれば、請求項１乃至４の何れかの効果に加えて、二次空気の確保により適したピッチが設定可能となる。
【図面の簡単な説明】
【０００８】
【図１】ガスバーナの断面図である。
【図２】バーナヘッドの底面図である。
【図３】炎孔部分の拡大図である。
【図４】保炎溝部分の拡大断面図である。
【図５】変更例の炎孔の拡大図である。
【発明を実施するための形態】
【０００９】
以下、本発明の実施の形態を図面に基づいて説明する。
図１に、ガスバーナの一例を示す。このガスバーナ１は、燃焼器具の一例であるテーブルコンロに設けられるブンゼン式で、図示しないノズルからの燃料ガスの供給によって燃料ガスと共に一次空気が供給されるバーナ本体２と、そのバーナ本体２の上端に載置されたバーナヘッド３とを備えてなる。
まずバーナ本体２は、上面を開口した環状混合室４を有し、その環状混合室４の上面に、バーナヘッド３を受けるすり鉢状の載置面５ａを形成した支持筒５を連結している。
バーナヘッド３は、アルミニウムや真鍮等の金属製の成型品で、中央に、環状混合室４の中心孔に差し込んで位置決めする筒部６を下向きに備え、外周にすり鉢状の円盤部７を周設してなる。円盤部７の下面外周際には、支持筒５の載置面５ａに載置される炎孔形成部８がリング状に突設されている。
【００１０】
この炎孔形成部８の下面には、円盤部７の放射方向に複数の炎孔９，９・・が溝状に形成されている。この炎孔９は、図２，３にも示すように、炎孔形成部８の内側端面から放射方向の寸法の略半分の位置まで形成される一対の内側炎孔１０，１０と、その内側炎孔１０，１０が合流して炎孔形成部８の外側端面に開口する１つの外側炎孔１１とからなり、このうち内側炎孔１０の幅は、上流端から下流端まで同じ幅で形成され、外側炎孔１１は、下流端である外側端面へ行くに従って幅が小さくなるテーパ状に形成されている。
【００１１】
ここで、内側炎孔１０の幅Ａは１．５ｍｍ以下、外側炎孔１１の幅Ｂは１．５ｍｍ以上で、且つ内側炎孔１０の幅Ａよりも外側炎孔１１の幅Ｂの方が大きくなるように設定されている。また、内側炎孔１０，１０のピッチＣと、外側炎孔１１，１１のピッチＤとはそれぞれ３ｍｍ以上で設定されている。
【００１２】
また、各炎孔９，９の間には、保炎溝１２が形成されている。この保炎溝１２は、左右に隣接する炎孔９，９における外側炎孔１１の上流端同士を互いに連通させて放射方向へ伸び、炎孔形成部８の外側端面に開口するＴ字状となっている。この保炎溝１２は、図４に示すように炎孔９よりも浅く形成されている。
なお、テーブルコンロは、器体に設けた点火ボタンの押し操作によってバーナ本体２へのガス流路に設けた弁を開弁させて燃料ガスを供給すると共に、押し操作を検出したコントローラがバーナヘッドの近傍に設けた点火電極を連続放電させてガスバーナに点火する周知の構成となっている。
【００１３】
以上の如く構成されたガスバーナ１においては、バーナヘッド３をバーナ本体２の支持筒５にセットすると、図１に示すように、各炎孔９の下面が支持筒５の載置面５ａで閉塞されて各炎孔９は放射方向にのみ開口し、上流側の開口が環状混合室４と連通する。また、各保炎溝１２の下面も支持筒５の載置面５ａで閉塞される。
よって、テーブルコンロの点火操作によってバーナ本体２へ燃料ガス及び一次空気の供給がなされると、環状混合室４で生成された混合気が各炎孔９において、まず内側炎孔１０，１０に進入して下流側の外側炎孔１１で合流し、外側炎孔１１の外側端面から放射状に噴出される。ここで点火電極で点火されて、各外側炎孔１１から主炎Ｆが形成されることになる。
【００１４】
この燃焼の際、各外側炎孔１１はバーナヘッド３の周方向で広いピッチが確保されているため（３ｍｍ以上）、主炎Ｆの燃焼に必要な二次空気は十分に得られ、保炎性等の燃焼性能が確保できる。また、保炎溝１２には隣接する一対の炎孔９，９から一部の混合気が流れて外側端面の開口から噴出し、保炎Ｆ１が形成されるため、弱火等にしても主炎Ｆの燃焼は保たれる。
一方、内側炎孔１０は外側炎孔１１よりも幅が小さくなって（１．５ｍｍ以下）炎孔負荷が高いため、主炎Ｆがバックしたり消火音が発生したりするおそれが軽減される。
【００１５】
このように、上記形態のガスバーナ１及び当該ガスバーナ１を用いたテーブルコンロによれば、炎孔６を、混合気の上流端に開口する一対の内側炎孔１０，１０と、その内側炎孔１０，１０が合流して混合気の下流端に開口し、単一の内側炎孔１０よりも幅の大きい外側炎孔１１とから形成したことで、外側炎孔１１側で二次空気の供給に必要なピッチを確保する一方、内側炎孔１０で適正な炎孔負荷が維持できる。よって、保炎性等の燃焼性能が維持できると共に、火炎のバック等も好適に防止可能となる。
【００１６】
特にここでは、外側炎孔１１を、下流端へ行くに従って幅が小さくなるテーパ状としたことで、一対の内側炎孔１０，１０から外側炎孔１１への混合気の流れがスムーズとなり、必要な燃焼速度が維持できる。
また、内側炎孔１０の幅を１．５ｍｍ以下、外側炎孔１１の幅を１．５ｍｍ以上としているので、燃焼性能の維持と火炎のバック等の防止とに好適な炎孔幅が得られる。
さらに、外側炎孔１１のピッチを３ｍｍ以上としているので、二次空気の確保により適したピッチが設定可能となる。
【００１７】
なお、炎孔の形態は適宜変更可能で、例えば図５に示すように、外側炎孔１１ａを、内側炎孔１０側の端部の幅よりも下流端側の端部の幅が小さくなる凸形状とすることもできる。この場合も混合気の流れはスムーズとなる。また、内側炎孔を含めた炎孔全体をテーパ形状とすることもできる。
また、内側炎孔と外側炎孔との放射方向の寸法の割合や炎孔幅、ピッチ等も適宜変更可能で、保炎溝も炎孔の複数置きで設けたり、省略したりして差し支えない。
その他、燃焼器具としてはテーブルコンロに限らず、ビルトインコンロ等の他のタイプであっても本発明のガスバーナは採用可能である。
【符号の説明】
【００１８】
１・・ガスバーナ、２・・バーナ本体、３・・バーナヘッド、４・・環状混合室、５・・支持筒、７・・円盤部、８・・炎孔形成部、９・・炎孔、１０・・内側炎孔、１１・・外側炎孔、１２・・保炎溝、Ｆ・・主炎、Ｆ１・・保炎。
【図１】
2011202824.tif 000003
【図２】
2011202824.tif 000004
【図３】
2011202824.tif 000005
【図４】
2011202824.tif 000006
【図５】
2011202824.tif 000007